(57)【特許請求の範囲】
【請求項１】
マグネシウムを含む複数のマグネシウム薄板と、
前記複数のマグネシウム薄板のそれぞれの表面に接続され、前記複数のマグネシウム薄板のそれぞれの表面、一方の側面、及び裏面に沿って折り曲げられる表面セパレータと、
前記複数のマグネシウム薄板のそれぞれの裏面に接続され、前記複数のマグネシウム薄板のそれぞれの表面、他方の側面、及び裏面に沿って折り曲げられる裏面セパレータと、を備え、
前記表面セパレータと前記裏面セパレータとが折りたたまれ、前記複数のマグネシウム薄板が積み重ねられるように配置され、
前記複数のマグネシウム薄板の一つを表面に平行に移動すると、該マグネシウム薄板に接続された前記表面セパレータと前記裏面セパレータとが展開される、
ことを特徴とするマグネシウム燃料体。
【請求項２】
前記表面セパレータは、前記複数のマグネシウム薄板のそれぞれの表面の中央部に接続され、蛇腹状に折りたたみ可能であり、
前記裏面セパレータは、前記複数のマグネシウム薄板のそれぞれの裏面の中央部に接続され、蛇腹状に折りたたみ可能である、
ことを特徴とする請求項１に記載のマグネシウム燃料体。
【請求項３】
前記表面セパレータと前記裏面セパレータとの少なくとも一方は、イオンを透過する透過フィルムから形成される、
ことを特徴とする請求項１又は２に記載のマグネシウム燃料体。
【請求項４】
前記表面セパレータと前記裏面セパレータとの少なくとも一方は、前記マグネシウム薄板を移動させる駆動装置と噛み合う穴を備える、
ことを特徴とする請求項１から３のいずれか１項に記載のマグネシウム燃料体。
【請求項５】
請求項１から４のいずれか１項に記載のマグネシウム燃料体と、
電極部と、を備え、
前記複数のマグネシウム薄板の一つが前記電極部に挿入され、該マグネシウム薄板を燃料として起電力を生じさせ、
反応後の該マグネシウム薄板が前記電極部から引き出される、
ことを特徴とするマグネシウム空気電池。
【請求項６】
反応前の前記複数のマグネシウム薄板と反応後の前記複数のマグネシウム薄板とはそれぞれ、積み重ねられて配置される、
ことを特徴とする請求項５に記載のマグネシウム空気電池。
【請求項７】
前記電極部は、前記マグネシウム薄板が挿入される導入口と、前記マグネシウム薄板が引き出される排出口と、導電性を有し酸素に電子を供給する正極と、電解液を含浸して保持し前記正極と前記マグネシウム燃料体とに接する電解液保持材と、を備える、
ことを特徴とする請求項５又は６に記載のマグネシウム空気電池。
【請求項８】
前記正極は炭素、金属、マンガン酸化物のうち少なくとも一つから形成される、
ことを特徴とする請求項７に記載のマグネシウム空気電池。
【請求項９】
請求項５から８のいずれか１項に記載のマグネシウム空気電池を備える、
ことを特徴とする電子機器。
【請求項１０】
充電可能な二次電池をさらに備え、
前記二次電池の残存容量が閾値以下の場合に、前記マグネシウム空気電池に起電力を生じさせて前記二次電池を充電する、
ことを特徴とする請求項９に記載の電子機器。 
【発明の詳細な説明】
【技術分野】
【０００１】
本発明は、マグネシウム燃料体、マグネシウム空気電池、及び電子機器に関する。
【背景技術】
【０００２】
空気中の酸素を正極活物質とし、マグネシウムを負極活物質とするマグネシウム空気電池の一例として、特許文献１には、カートリッジタイプのマグネシウム空気電池が開示されている。具体的には、特許文献１に記載のマグネシウム空気電池では、マグネシウム薄膜の各端部が一対のリールと接続され、リールを回転させることによりマグネシウム薄膜が巻き取られるとともに、リール間のマグネシウム薄膜と、その近傍に位置する正極とが協働して発電する。
【先行技術文献】
【特許文献】
【０００３】
【特許文献１】特開２０１２−１５０１３号公報
【発明の概要】
【発明が解決しようとする課題】
【０００４】
マグネシウム空気電池において、マグネシウムの厚さは、反応の速さや持続時間に影響し、電池の特性を決定する重要な要素の一つである。様々な特性を備える電池を開発するためには、様々な厚さのマグネシウムを用いる必要がある。しかし、マグネシウムの厚さが１００μｍを超えると、マグネシウムを円筒状に巻き付けることが困難になってくる。このため、特許文献１に記載のマグネシウム空気電池のようにマグネシウム薄膜がリールに巻き付けられた構造では、使用できるマグネシウムの厚さが１００μｍ程度に限界されてしまうという問題がある。
【０００５】
１００μｍを超えるようなものを含む任意の厚さのマグネシウムの電極部への連続した導入及び引き出しを可能にし、マグネシウム空気電池を構成するためには、マグネシウム薄膜がリールに巻き付けられた構造以外の新しい構造が必要である。
【０００６】
本発明はかかる課題に鑑みてなされたものであって、電極付近への連続した導入及び引き出しが可能であり任意の厚さに設計可能なマグネシウム燃料体、そのマグネシウム燃料体を備えるマグネシウム空気電池、及びそのマグネシウム空気電池を備える電子機器、を提供することを目的とする。
【課題を解決するための手段】
【０００７】
上記目的を達成するため、本発明の第１の観点に係るマグネシウム燃料体は、
マグネシウムを含む複数のマグネシウム薄板と、
前記複数のマグネシウム薄板のそれぞれの表面に接続され、前記複数のマグネシウム薄板のそれぞれの表面、一方の側面、及び裏面に沿って折り曲げられる表面セパレータと、
前記複数のマグネシウム薄板のそれぞれの裏面に接続され、前記複数のマグネシウム薄板のそれぞれの表面、他方の側面、及び裏面に沿って折り曲げられる裏面セパレータと、を備え、
前記表面セパレータと前記裏面セパレータとが折りたたまれ、前記複数のマグネシウム薄板が積み重ねられるように配置され、
前記複数のマグネシウム薄板の一つを表面に平行に移動すると、該マグネシウム薄板に接続された前記表面セパレータと前記裏面セパレータとが展開される、
ことを特徴とする。
【０００８】
前記表面セパレータは、前記複数のマグネシウム薄板のそれぞれの表面の中央部に接続され、蛇腹状に折りたたみ可能であり、
前記裏面セパレータは、前記複数のマグネシウム薄板のそれぞれの裏面の中央部に接続され、蛇腹状に折りたたみ可能であってもよい。
【０００９】
前記表面セパレータと前記裏面セパレータとの少なくとも一方は、イオンを透過する透過フィルムから形成されてもよい。
【００１０】
前記表面セパレータと前記裏面セパレータとの少なくとも一方は、前記マグネシウム薄板を移動させる駆動装置と噛み合う穴を備えていてもよい。
【００１１】
本発明の第２の観点に係るマグネシウム空気電池は、
本発明の第１の観点に係るマグネシウム燃料体と、
電極部と、を備え、
前記複数のマグネシウム薄板の一つが前記電極部に挿入され、該マグネシウム薄板を燃料として起電力を生じさせ、
反応後の該マグネシウム薄板が前記電極部から引き出される、
ことを特徴とする。
【００１２】
反応前の前記複数のマグネシウム薄板と反応後の前記複数のマグネシウム薄板とはそれぞれ、積み重ねられて配置されてもよい。
【００１３】
前記電極部は、前記マグネシウム薄板が挿入される導入口と、前記マグネシウム薄板が引き出される排出口と、導電性を有し酸素に電子を供給する正極と、電解液を含浸して保持し前記正極と前記マグネシウム燃料体とに接する電解液保持材と、を備えてもよい。
【００１４】
前記正極は炭素、金属、マンガン酸化物のうち少なくとも一つから形成されてもよい。
【００１５】
本発明の第３の観点に係る電子機器は、
本発明の第２の観点に係るマグネシウム空気電池を備える、
ことを特徴とする。
【００１６】
充電可能な二次電池をさらに備え、
前記二次電池の残存容量が閾値以下の場合に、前記マグネシウム空気電池に起電力を生じさせて前記二次電池を充電してもよい。
【発明の効果】
【００１７】
本発明によれば、電極付近への連続した導入及び引き出しが可能であり任意の厚さに設計可能なマグネシウム燃料体、そのマグネシウム燃料体を備えるマグネシウム空気電池、及びそのマグネシウム空気電池を備える電子機器、を提供できる。
【図面の簡単な説明】
【００１８】
【図１】実施形態に係るマグネシウム燃料体の折り畳まれた状態での概略構成を示す（ａ）側面図及び（ｂ）平面図である。
【図２】実施形態に係るマグネシウム燃料体の一部が展開された状態での概略構成を示す側面図である。
【図３】実施形態に係るマグネシウム燃料体の一部が展開された状態での概略構成を示す側面図である。
【図４】実施形態における電極部の概略構成を示す（ａ）側面図及び（ｂ）断面図である。
【図５】実施形態に係るマグネシウム空気電池の概略構成を示す側面図である。
【図６】実施形態に係るマグネシウム空気電池の概略構成を示す側面図である。
【図７】実施形態に係るマグネシウム空気電池の概略構成を示す側面図である。
【図８】実施形態に係るマグネシウム空気電池の概略構成を示す側面図である。
【図９】実施形態に係るマグネシウム空気電池の概略構成を示す側面図である。
【図１０】実施形態に係るマグネシウム燃料体の展開された状態での概略構成を示す平面図である。
【図１１】実施形態に係る電子機器の概略構成を示す斜視図である。
【発明を実施するための形態】
【００１９】
以下、本発明の実施形態について図面を参照して説明する。
【００２０】
まず、マグネシウム燃料体１００の構成について説明する。図１（ａ）は、マグネシウム燃料体１００の、折り畳まれた状態での概略構成を示す側面図であり、図１（ｂ）はその平面図である。図１に示すように、マグネシウム燃料体１００は、複数のマグネシウム薄板１０１と、表面セパレータ１０２と、裏面セパレータ１０３と、を備える。マグネシウム燃料体１００は、マグネシウム空気電池の燃料として機能する。
【００２１】
マグネシウム薄板１０１は、長辺の長さがＬ、厚さがＴの短冊状に形成された金属マグネシウムの薄板である。マグネシウム薄板１０１は、一方の面（表面）の中央部、即ち短辺からＬ／２の位置である位置Ａにおいて表面セパレータ１０２と接続されている。また、他方の面（裏面）の中央部である位置Ｂにおいて裏面セパレータ１０３と接続されている。複数のマグネシウム薄板１０１が表面セパレータ１０２と裏面セパレータ１０３とにほぼ等間隔で接続されており、その間隔は（Ｌ＋Ｔ）である。
【００２２】
表面セパレータ１０２及び裏面セパレータ１０３は、マグネシウム空気電池のセパレータとして機能する。表面セパレータ１０２及び裏面セパレータ１０３は、酸化還元反応に必要なイオンを透過し、可撓性を有する透過フィルムであり、例えば不織布、イオン交換樹脂等から形成されている。表面セパレータ１０２は、位置Ａにおいて折り曲げられるとともに、マグネシウム薄板１０１に密着するようにマグネシウム薄板１０１の表面、一方の側面、及び裏面に沿って折り曲げられている。同様に、裏面セパレータ１０３は、マグネシウム薄板１０１に密着するようにマグネシウム薄板１０１の表面、他方の側面、及び裏面に沿って折り曲げられるとともに、位置Ｂにおいて折り曲げられている。全体として、表面セパレータ１０２及び裏面セパレータ１０３は蛇腹状に折りたたまれている。
【００２３】
図２は、マグネシウム燃料体１００の一部が展開された状態での概略構成を示す側面図である。マグネシウム薄板１０１Ａが表面に平行かつ長辺に平行な方向（図の矢印の方向）に移動すると、マグネシウム薄板１０１の表面側の折り曲げられていた表面セパレータ１０２と裏面セパレータ１０３とが展開される。
【００２４】
図２に示した状態から、移動したマグネシウム薄板１０１Ａが矢印と逆の方向に移動すると、展開されていた表面セパレータ１０２と裏面セパレータ１０３とが再び折り曲げられ、図１に示した状態に戻る。
【００２５】
図２に示した状態から、図３に示すように、移動したマグネシウム薄板１０１Ａの上のマグネシウム薄板１０１Ｂが矢印の方向に移動すると、展開されていたマグネシウム薄板１０１Ａとマグネシウム薄板１０１Ｂとの間の表面セパレータ１０２と裏面セパレータ１０３とが再び折り曲げられるとともに、マグネシウム薄板１０１Ｂの表面側の折り曲げられていた表面セパレータ１０２と裏面セパレータ１０３とが展開され、マグネシウム薄板１０１Ａとマグネシウム薄板１０１Ｂとが再び重なる。
【００２６】
このように、任意のマグネシウム薄板１０１が表面に平行かつ長辺に平行な方向に移動することで、重ねられた状態から展開された状態に移行したり、再び重ねられた状態に移行したりすることができる。
【００２７】
次に、マグネシウム燃料体１００を燃料として使用するマグネシウム空気電池２００について説明する。
【００２８】
マグネシウム空気電池２００は、電極部３００を備え、マグネシウム燃料体１００を燃料として起電力を生じる。
【００２９】
図４（ａ）は電極部３００の概略構成を示す側面図であり、図４（ｂ）はそのＡ−Ａ'矢視断面図である。電極部３００は、導入口３０１と、排出口３０２と、正極３０３と、負極３０４と、電解液保持材３０５と、を備える。
【００３０】
導入口３０１は、電極部３００の一側面に形成されている。マグネシウム薄板１０１が、導入口３０１から電極部３００の内部へ矢印Ｉの方向に挿入され、マグネシウム空気電池２００の燃料として使われることで、マグネシウム空気電池２００が起電力を生じる。
【００３１】
排出口３０２は、電極部３００の導入口３０１が形成された側面の反対の側面に形成されている。燃料として使われて消耗したマグネシウム薄板１０１は排出口３０２から矢印Ｏの方向に引き出される。
【００３２】
正極３０３は、導電性を有する素材で形成され、マグネシウム空気電池２００の正極活物質である空気中の酸素に電子を供給する。正極３０３は、酸素を還元する反応を促進するため、表面積が大きく酸素を吸着しやすいことが望ましい。正極３０３を形成する素材としては、例えば炭素、金属、マンガン化合物、及びこれらを組み合わせたもの等が挙げられるが、これに限られるものではない。このうち炭素に関しては、活性炭、炭素粉末、炭素繊維、カーボンナノチューブ、カーボンフェルト等の形態を取りうる。
【００３３】
負極３０４は、導電性を有する素材で形成され、電極部３００に挿入されたマグネシウム燃料体１００に電気的に接続される。この実施形態では、マグネシウム薄板１０１の側面に電気的に接続される。
【００３４】
電解液保持材３０５は、電解液を含浸して保持する。電解液保持材３０５はマグネシウム燃料体１００と正極３０３とに挟まれ、それぞれに接するように設置される。電解液保持材３０５を形成する素材としては、例えば濾紙、不織布、フェルト、炭素フェルト、ゲル等が挙げられるが、これに限られるものではない。
【００３５】
電解液は、マグネシウム燃料体１００と正極３０３との間のイオンの交換を可能にする電解液である。また、電解液に含まれる水は、正極３０３で酸素が還元される反応に使われる。電解液は、例えば塩化ナトリウム水溶液であるが、これに限られるものではない。
【００３６】
次に、図５−図９を参照して、マグネシウム燃料体１００をマグネシウム空気電池２００の燃料として使用する方法について説明する。図５−図９は、マグネシウム空気電池２００の概略構成を示す側面図である。なお、図５−図９においては、マグネシウム薄板１０１と表面セパレータ１０２及び裏面セパレータ１０３との接続箇所の図示は省略されている。
【００３７】
まず、図５に示すように、マグネシウム燃料体１００が電極部３００の近傍に設置される。このとき、マグネシウム燃料体１００の一番下のマグネシウム薄板１０１Ｃが導入口３０１に合うように設置される。なお、一番下のマグネシウム薄板１０１Ｃにおいては、表面セパレータ１０２も裏面セパレータ１０３と同じ位置でマグネシウム薄板１０１Ｃに接続されている。
【００３８】
次に、図６に示すように、マグネシウム薄板１０１Ｃが表面に平行かつ長辺に平行な方向（図の矢印の方向）に移動し、導入口３０１を通って電極部３００に挿入される。このとき、マグネシウム薄板１０１Ｃに接続され、折り曲げられていた表面セパレータ１０２と裏面セパレータ１０３とが徐々に展開される。
【００３９】
次に、図７に示すように、マグネシウム薄板１０１Ｃが移動しきって、電極部３００に完全に挿入される。同時に、マグネシウム燃料体１００全体が下方向に移動し、下から２番目のマグネシウム薄板１０１Ｄが導入口３０１に合う位置に設置され、表面セパレータ１０２と裏面セパレータ１０３とが完全に展開される。
【００４０】
図７の状態において、表面セパレータ１０２と裏面セパレータ１０３とは完全に展開され、表面セパレータ１０２がマグネシウム薄板１０１Ｃの表面に、裏面セパレータ１０３がマグネシウム薄板１０１Ｃの裏面に、それぞれ密着して覆う。この状態で、電極部３００で、表面セパレータ１０２がマグネシウム空気電池のセパレータとして機能し、電解液がイオンの交換を行うことで、空気中の酸素を正極活物質とし、マグネシウム薄板１０１Ｃに含まれるマグネシウムを負極活物質とする酸化還元反応が起こって起電力が生じる。反応の進行に伴い、電極部３００に挿入されているマグネシウム薄板１０１Ｃが消耗していく。
【００４１】
図８に示すように、反応の進行に伴ってマグネシウム薄板１０１Ｃが消耗しきると、マグネシウム薄板１０１Ｃは電極部３００から引き出される。同時に、次のマグネシウム薄板１０１Ｄが電極部３００に挿入され、マグネシウム燃料体１００全体が下方向に移動する。
【００４２】
消耗し、引き出されたマグネシウム薄板１０１がある状態で次の消耗したマグネシウム薄板１０１が引き出される場合、先に引き出されていたマグネシウム薄板１０１が下方向に移動し、使用前と同じように積み重ねられる。図９に示すように、反応の進行に伴ってマグネシウム薄板１０１Ｄが消耗しきると、マグネシウム薄板１０１Ｄは電極部３００から引き出される。同時に、先に引き出されていたマグネシウム薄板１０１Ｃが下方向に移動し、マグネシウム薄板１０１Ｃとマグネシウム薄板１０１Ｄとの間に接続され、展開していた表面セパレータ１０２と裏面セパレータ１０３とが再び折りたたまれる。
【００４３】
このように、マグネシウム燃料体１００が電極部３００に順次挿入され、また引き出されることで、任意の厚さのマグネシウムを燃料として、マグネシウム空気電池２００が起電力を生じ続けることができる。また、使用前及び使用後のマグネシウム燃料体１００は積み重ねられているので、マグネシウム燃料体１００自体、及びマグネシウム燃料体１００を使用するマグネシウム空気電池２００を小さく形成することができる。
【００４４】
マグネシウム薄板１０１を電極部３００に挿入し、引き出す際にマグネシウム薄板１０１を移動させる方法については、任意のものを採ることができる。例えば、図１０に示すように、表面セパレータ１０２と裏面セパレータ１０３との少なくとも一方（図１０では表面セパレータ１０２）に一定間隔で穴１０４を開け、そこに駆動装置として歯車を噛み合わせ、その歯車を回転させることでマグネシウム薄板１０１を移動させてもよい。また、マグネシウム薄板１０１を側面や表面から押し込むことで移動させてもよい。
【００４５】
次に、電子機器の電源として、マグネシウム空気電池２００を使用する方法について説明する。
【００４６】
図１１は、マグネシウム空気電池２００を電源とする電子機器４００の概略構成を示す斜視図である。図１１に示すように、電子機器４００は、二次電池４０１を備え、マグネシウム空気電池２００が取り付けられている。
【００４７】
電子機器４００は、電池から供給される電力によって動作する電子機器であり、例えば携帯電話、スマートフォン、パーソナルコンピュータ等である。電子機器４００は、例えばケーブルや接続アダプタ等（図示しない）によってマグネシウム空気電池２００に電気的に接続されている。
【００４８】
二次電池４０１は、充電可能な二次電池であり、例えばリチウムイオン二次電池等である。二次電池４０１は、電子機器４００を動作させる直接の電源となる。
【００４９】
電子機器４００は、二次電池４０１から供給される電力によって動作する。電子機器４００は、二次電池４０１の残存容量を監視し、二次電池４０１の残存容量が閾値以下になると、マグネシウム空気電池２００に起電力を生じさせる。これは、電子機器４００に導入されたアプリケーションによって実行されてもよい。このアプリケーションソフトウェアを導入することで、どのような電子機器であってもマグネシウム空気電池２００によって動作させることができるようになる。
【００５０】
このようにマグネシウム空気電池２００を使用することにより、電子機器４００の電源としてマグネシウム空気電池２００を使用することができる。
【００５１】
マグネシウム空気電池２００を電子機器４００の外部に取り付ける構成により、二次電池４０１を電源として備えているものであっても、マグネシウム空気電池２００を電源として用いることができる。また、マグネシウム空気電池２００の外観は自由に構成できるので、電子機器４００を装飾するように構成することもできる。
【００５２】
使用後のマグネシウム空気電池２００は、例えばコンビニエンスストア等で回収し、マグネシウム燃料体１００を入れ替えることで再利用できる。このとき回収した反応後のマグネシウム燃料体１００は、新しいマグネシウム燃料体１００を作る際の原料として用いることができる。
【００５３】
マグネシウム空気電池の容量は、同程度の大きさのリチウムイオン二次電池に比べて大きくすることができるため、上記のようにマグネシウム空気電池を使用すれば、長時間に渡って交流電源からの充電をすることなく電子機器を利用することができる。
【００５４】
なお、表面セパレータ１０２と裏面セパレータ１０３とは、マグネシウム燃料体１００の上端部、即ち一番上のマグネシウム薄板１０１の表面において一体となっていてもよい。このとき、表面セパレータ１０２と裏面セパレータ１０３とは、一体のリボン状に形成されていることになる。マグネシウム燃料体１００の下端部においても同様である。また、マグネシウム燃料体１００の上端部と下端部との両方において一体となっていてもよい。このとき、表面セパレータ１０２と裏面セパレータ１０３とは、一体のリング状に形成されていることになる。
【００５５】
以上、本発明の実施形態について説明したが、本発明は上記の実施形態に限定されるものではない。
【００５６】
例えば、マグネシウム薄板１０１は金属マグネシウムから形成されるとしたが、これに限られるものではない。即ち、マグネシウム燃料体１０１はマグネシウムイオンを溶出するものであればよく、マグネシウムを含む合金や、マグネシウム化合物から形成されていてもよい。
【００５７】
また、マグネシウム薄板１０１は表面の中央部で表面セパレータ１０２と接続されているとしたが、これに限られるものではない。即ち、表面の中央部以外の箇所で接続されていてもよいし、２箇所以上で接続されていてもよい。裏面セパレータ１０３についても同様である。ただし、表面セパレータ１０２及び裏面セパレータ１０３がそれぞれの面の中央部で接続されている構成であれば、表面セパレータ１０２及び裏面セパレータ１０３を容易に折りたたむことができる。
【００５８】
また、表面セパレータ１０２及び裏面セパレータ１０３は、酸化還元反応に必要なイオンを透過するとしたが、これに限られるものではない。即ち、表面セパレータ１０２と裏面セパレータ１０３との少なくとも一方が酸化還元反応に必要なイオンを透過するものであればよい。このとき、他方のセパレータは、例えば絶縁性フィルム、導電性フィルム等で形成してもよい。他方のセパレータを導電性フィルムで形成した場合は、電極部３００の負極３０４をそのセパレータに接するように設けることもできる。
【００５９】
また、電極部３００は正極３０３と電解液保持材３０５とをそれぞれ一つ備えるものとして説明したが、これに限られるものではない。即ち、正極３０３と電解液保持材３０５とをそれぞれ二つ備え、マグネシウム燃料体１００を挟むように設置されていてもよい。このとき、表面セパレータ１０２及び裏面セパレータ１０３はどちらも、酸化還元反応に必要なイオンを透過するものである。二つの正極同士を接続すれば、マグネシウム空気電池は並列に接続されていることになり、取り出す電流を増やすことができる。
【００６０】
また、電子機器４００は、二次電池４０１の残存容量が閾値以下になるとマグネシウム空気電池２００に起電力を生じさせるとしたが、これに限られるものではない。即ち、電子機器４００の電力消費量、例えばアプリケーションの使用状態等に応じて、マグネシウム空気電池２００に起電力を生じさせ、二次電池４０１を充電してもよい。
【００６１】
また、電子機器４００にはマグネシウム空気電池２００が取り付けられているとしたが、これに限られるものではない。即ち、マグネシウム空気電池２００が電子機器４００の内部に配置されていてもよい。
【００６２】
また、電子機器４００は二次電池４０１を備え、マグネシウム空気電池２００は二次電池４０１を充電するとしたが、これに限られるものではない。即ち、二次電池４０１を介することなく、マグネシウム空気電池２００が供給する電力で電子機器４００を直接動作させてもよい。
【符号の説明】
【００６３】
１００  マグネシウム燃料体
１０１，１０１Ａ−１０１Ｄ  マグネシウム薄板
１０２  表面セパレータ
１０３  裏面セパレータ
１０４  穴
２００  マグネシウム空気電池
３００  電極部
３０１  導入口
３０２  排出口
３０３  正極
３０４  負極
３０５  電解液保持材
４００  電子機器
４０１  二次電池
【図１】
0005891569.tif 000002
【図２】
0005891569.tif 000003
【図３】
0005891569.tif 000004
【図４】
0005891569.tif 000005
【図５】
0005891569.tif 000006
【図６】
0005891569.tif 000007
【図７】
0005891569.tif 000008
【図８】
0005891569.tif 000009
【図９】
0005891569.tif 000010
【図１０】
0005891569.tif 000011
【図１１】
0005891569.tif 000012